(57)【要約】【課題】相手方が発した単語の語尾の文字を語頭に有する単語を発するというルールに従ってユーザと対話を行うシステムにおいて、ユーザが発した単語を正しく認識できる可能性を向上させる。【解決手段】対話システム１は、対話システム１が発した第１の単語に応じてユーザにより入力された単語である第２の単語を取得する取得部１１と、第１の単語の語尾の文字に基づいて、第２の単語を構成する文字列を判定する判定部１３と、判定部１３により判定された第２の単語の文字列に応じて、ルールに従った単語である第３の単語を出力する出力部１５と、を備える。【選択図】図１
2019154468.tif 000002
【特許請求の範囲】
【請求項１】
相手方が発した単語の語尾の文字を語頭に有する単語を発するというルールに従ってユーザと対話を行う対話システムであって、
前記対話システムが発した第１の単語に応じてユーザにより入力された単語である第２の単語を取得する取得部と、
前記第１の単語の語尾の文字に基づいて、前記第２の単語を構成する文字列を判定する判定部と、
前記判定部により判定された前記第２の単語の文字列に応じて、前記ルールに従った単語である第３の単語を出力する出力部と、
を備える対話システム。
【請求項２】
前記取得部は、ユーザによりテキストにより入力された前記第２の単語を取得し、
前記判定部は、前記第２の単語の読みを構成する文字列の複数の候補から、前記第１の単語の語尾の文字を語頭に有する文字列を選択する、
請求項１に記載の対話システム。
【請求項３】
前記判定部は、単語と当該単語の読みを構成する一以上の文字列とを関連付けて記憶している単語記憶部を参照して、前記第２の単語の読みを構成する文字列の候補を取得する、
請求項２に記載の対話システム。
【請求項４】
前記取得部は、ユーザにより音声により入力された前記第２の単語を取得し、
前記判定部は、前記第２の単語に対する所定の音声認識処理により得られた文字列の語頭の文字を前記第１の単語の語尾の文字に修正した修正文字列を前記第２の単語を構成する文字列として判定し、または、
前記第２の単語に対する所定の音声認識処理により得られた、前記第２の単語を構成する文字列の複数の候補から、前記第１の単語の語尾の文字を語頭に有する文字列を前記第２の単語を構成する文字列として選択する、
請求項１に記載の対話システム。
【請求項５】
前記判定部は、単語と当該単語の読みを構成する一以上の文字列とを関連付けて記憶している単語記憶部を参照して、前記修正文字列または前記選択された文字列が、前記単語記憶部において前記単語の読みとして記憶されている場合に、前記修正文字列または前記選択された文字列を前記第２の単語を構成する文字列として判定する、
請求項４に記載の対話システム。
【発明の詳細な説明】
【技術分野】
【０００１】
本発明は、対話システムに関する。
【背景技術】
【０００２】
所定のルールに従ってユーザと対話を行うシステムが知られている。例えば、相手方が発した単語の語尾の文字を語頭に有する単語を発するというルールに従ってユーザと対話を行うような、いわゆる「しりとり」を行うシステムが知られている。「しりとり」は、前の単語の最後のかなで始まる単語を発することがプレイヤに要求される日本語のゲームである（”Shiritori” is a Japanese word game in which the players arerequired to say a word which begins with the final kana of the previous word.）。また、英語において、しりとりと同様のルールで対話を行うものとして、Ｗｏｒｄ  Ｃｈａｉｎが知られている。このようなルールに従って対話を行うシステムとして、特許文献１には、ユーザにより発話された単語の語尾と同一文字から始まる応答用単語を抽出してスピーカーを介して音声出力するシステムが開示されている。
【先行技術文献】
【特許文献】
【０００３】
【特許文献１】特開２００６−２０９０７７号公報
【発明の概要】
【発明が解決しようとする課題】
【０００４】
相手方が発した単語の語尾の文字を語頭に有する単語を発するというルールに従ってユーザと対話を行うシステムでは、相手方であるユーザにより入力された単語を正しく認識する必要がある。例えば、ユーザにより入力された単語が、例えば漢字に例示されるような「かな」以外の文字によりテキスト入力されたものである場合において、その単語に複数の読みが関連付けられ得るような場合には、システムは、ルールに従った単語が入力されたか否かが判別できず、入力された単語に応じた単語の出力もできない。また、音声入力により単語が入力された場合には、ユーザがルールに従った単語を発した場合であっても、音声認識処理における誤認識が発生する場合があり、システムは、ユーザが発した単語を正しく認識できない場合がある。
【０００５】
そこで、本発明は、上記問題点に鑑みてなされたものであり、相手方が発した単語の語尾の文字を語頭に有する単語を発するというルールに従ってユーザと対話を行うシステムにおいて、ユーザが発した単語を正しく認識できる可能性を向上させることを目的とする。
【課題を解決するための手段】
【０００６】
上記課題を解決するために、本発明の一形態に係る対話システムは、相手方が発した単語の語尾の文字を語頭に有する単語を発するというルールに従ってユーザと対話を行う対話システムであって、対話システムが発した第１の単語に応じてユーザにより入力された単語である第２の単語を取得する取得部と、第１の単語の語尾の文字に基づいて、第２の単語を構成する文字列を判定する判定部と、判定部により判定された第２の単語の文字列に応じて、ルールに従った単語である第３の単語を出力する出力部と、を備える。
【０００７】
上記の形態によれば、第２の単語がルールに従って発せられた単語であれば、第２の単語は、第１の単語の語尾を語頭に有することに鑑みて、第２の単語を構成する文字列が第１の単語の語尾の文字に基づいて判定されるので、第２の単語の入力の態様に起因してその特定が困難である場合であっても、第２の単語を構成する文字列を正しく認識できる。
【発明の効果】
【０００８】
相手方が発した単語の語尾の文字を語頭に有する単語を発するというルールに従ってユーザと対話を行うシステムにおいて、ユーザが発した単語を正しく認識できる可能性を向上させることが可能となる。
【図面の簡単な説明】
【０００９】
【図１】本実施形態の対話装置を含む対話システムの機能的構成を示すブロック図である。
【図２】対話装置のハードブロック図である。
【図３】単語記憶部の構成及び記憶されているデータの例を示す図である。
【図４】対話システムとユーザとのテキストによる対話の例を模式的に示す図である。
【図５】対話システムとユーザとの音声による対話の例を模式的に示す図である。
【図６】対話システムとユーザとの音声による対話の例を模式的に示す図である。
【図７】対話システムとユーザとの音声による対話の例を模式的に示す図である。
【図８】本実施形態の対話方法の処理内容を示すフローチャートである。
【図９】対話プログラムの構成を示す図である。
【発明を実施するための形態】
【００１０】
本発明に係る対話システムの実施形態について図面を参照して説明する。なお、可能な場合には、同一の部分には同一の符号を付して、重複する説明を省略する。
【００１１】
図１は、本実施形態に係る対話装置１０を含む対話システム１の機能的構成を示す図である。本実施形態の対話システム１は、対話装置１０により構成され、所定ルールに従ってユーザと対話を行うシステムである。所定ルールは、相手方が発した単語の語尾の文字を語頭に有する単語を発するというものである。このようなルールで行われるゲームとして、いわゆる「しりとり」（shiritori）がある。「しりとり」は、前の単語の最後のかなで始まる単語を発することがプレイヤに要求される日本語のゲームである。また、英語において、しりとりと同様のルールで対話を行うものとして、Ｗｏｒｄ  Ｃｈａｉｎが知られている。
【００１２】
対話システム１とユーザとの対話において、対話システム１は、テキストにより入力された単語を取得できる。また、対話システム１は、音声により入力された単語を取得できる。対話システム１は、入力された単語に応じて、テキストの表示または音声の出力により単語を発する。
【００１３】
対話システム１または対話装置１０を構成する装置は限定されないが、携帯端末及びパーソナルコンピュータ等の装置により構成されることとしてもよいし、コンピュータが組み込まれたロボットにより構成されてもよい。
【００１４】
本実施形態では、対話システム１は、１つの装置である対話装置１０により構成されているが、対話装置１０に含まれる各機能部及び記憶手段が複数の装置に分散されて構成されてもよい。
【００１５】
図１に示すように、対話装置１０は、機能的には、取得部１１、認識部１２、判定部１３、対話制御部１４及び出力部１５を備える。また、対話装置１０は、単語記憶部２０といった記憶手段を含む。これらの各機能部については後に詳述する。
【００１６】
なお、図１に示したブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００１７】
例えば、本発明の一実施の形態における対話装置１０は、コンピュータとして機能してもよい。図２は、本実施形態に係る対話装置１０のハードウェア構成の一例を示す図である。対話装置１０は、物理的には、プロセッサ１００１、メモリ１００２、ストレージ１００３、通信装置１００４、入力装置１００５、出力装置１００６、バス１００７などを含むコンピュータ装置として構成されてもよい。
【００１８】
なお、以下の説明では、「装置」という文言は、回路、デバイス、ユニットなどに読み替えることができる。対話装置１０のハードウェア構成は、図２に示した各装置を１つ又は複数含むように構成されてもよいし、一部の装置を含まずに構成されてもよい。
【００１９】
対話装置１０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００２０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、図１に示した各機能部１１〜１５などは、プロセッサ１００１で実現されてもよい。
【００２１】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、対話装置１０の各機能部１１〜１５は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００２２】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る棚割情報生成方法を実施するために実行可能なプログラム（プログラムコード）、ソフトウェアモジュールなどを保存することができる。
【００２３】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００２４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００２５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００２６】
また、プロセッサ１００１やメモリ１００２などの各装置は、情報を通信するためのバス１００７で接続される。バス１００７は、単一のバスで構成されてもよいし、装置間で異なるバスで構成されてもよい。
【００２７】
また、対話装置１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００２８】
続いて、対話装置１０の各機能部について説明する。取得部１１は、対話装置１０が発した第１の単語に応じてユーザにより入力された単語である第２の単語を取得する。具体的には、取得部１１は、対話装置１０の出力部１５により出力された第１の単語に応じて、所定ルールに従ってユーザにより入力された第２の単語を取得する。取得部１１は、音声またはテキストにより入力された第２の単語を取得する。
【００２９】
認識部１２は、取得部１１が、音声により入力された第２の単語を取得した場合に、取得部１１により取得された第２の単語に対する所定の音声認識処理を行い、第２の単語を構成する文字列を認識する。認識部１２における音声認識処理には、周知の音声認識技術を適用しうる。
【００３０】
認識部１２は、第２の単語に対する音声認識処理により、第２の単語を構成する文字列の複数の候補を取得できる。複数の候補のそれぞれは、認識の確からしさを示すスコアを有していてもよい。
【００３１】
判定部１３は、第１の単語の語尾の文字に基づいて、第２の単語を構成する文字列を判定する。具体的には、判定部１３は、第１の単語の語尾の文字に基づいて、第２の単語の読みを構成する文字列の複数の候補から選択する。また、判定部１３は、第２の単語に対する所定の認識処理により得られた文字列の語頭の文字を第１の単語の語尾の文字に修正する。
【００３２】
判定部１３は、第２の単語を構成する文字列の判定に際して、単語記憶部２０を参照できる。図３は、単語記憶部２０の構成及び記憶されているデータの例を示す図である。図３に示すように、単語記憶部２０は、単語と当該単語の読みを構成する一以上の文字列とを関連付けて記憶している。単語記憶部２０は、例えば、単語「寒気」の読みを構成する文字列として、「サムケ」及び「カンキ」を関連付けて記憶している。また、単語記憶部２０は、例えば、単語「ラッパ」の読みを構成する文字列として「ラッパ」を関連付けて記憶している。判定部１３による判定の処理については、後に、図４〜図７を参照して詳述する。
【００３３】
対話制御部１４は、判定部１３により判定された第２の単語の文字列に応じて、本実施形態の対話システム１における対話に関する所定ルールに従って出力する単語である第３の単語を取得する。所定ルールは、前述のとおり、例えば、「しりとり」及び「Ｗｏｒｄ  Ｃｈａｉｎ」等のゲームに用いられるルールであって、対話制御部１４は、第２の単語を構成する文字列の末尾の文字を語頭に有する単語を第３の単語として取得する。
【００３４】
具体的には、対話制御部１４は、対話制御のための大量の単語を記憶している所定のデータベースを参照して、第２の単語の語尾の文字を語頭に有する単語を抽出する。なお、対話制御部１４は、単語記憶部２０を参照して第３の単語を取得してもよい。
【００３５】
出力部１５は、判定部１３により判定された第２の単語を構成する文字列に応じて取得された第３の単語を出力する。出力部１５は、例えば、ディスプレイに表示することにより第３の単語を出力する。また、出力部１５は、例えば、音声により第３の単語を出力する。
【００３６】
次に、図４〜図７を参照して、判定部１３による判定及び対話の例を説明する。図４は、対話システム１とユーザとのテキストによる対話の例を模式的に示す図である。図４の対話例ｅｘ１に示すように、対話装置１０の出力部１５は、対話におけるシステム出力として、第１の単語ｗｓ１１としての「カンナ」をディスプレイに出力する。
【００３７】
これに対して、ユーザが第２の単語ｗｕ１１として、漢字からなる「生物」をテキストにより入力する。判定部１３は、単語記憶部２０を参照して、単語「生物」の読みを構成する文字列の候補として、「セイブツ」及び「ナマモノ」を抽出する。そして、判定部１３は、判定処理ｐｓ１１において、第１の単語の語尾の文字である「ナ」を語頭に有する「ナマモノ」を、第２の単語を構成する文字列として選択する。
【００３８】
第２の単語を構成する文字列が「ナマモノ」であることが判定されたので、対話制御部１４は、「ナマモノ」の語尾の文字「ノ」を語頭に有する単語「ノミ」を対話のための所定のデータベースから取得する。出力部１５は、第３の単語ｗｓ１２として、「ノミ」をディスプレイに出力する。
【００３９】
図５は、対話システム１とユーザとの音声による対話の例を模式的に示す図である。図５の対話例ｅｘ２に示すように、対話装置１０の出力部１５は、対話におけるシステム出力として、第１の単語ｗｓ２１としての「ゴリラ」をスピーカにより出力する。
【００４０】
これに対して、ユーザが第２の単語ｗｕ２１として、音声からなる「ラッパ」を、マイクを介して入力する。認識部１２は、第２の単語ｗｕ２１に対する音声認識処理ｐｓ２１を実施する。この対話例ｅｘ２においては、認識部１２は、第２の単語ｗｕ２１を構成する文字列が「ハッパ」であると誤認識したものとする。
【００４１】
続いて、判定部１３は、認識された文字列の「ハッパ」の語頭の文字「ハ」を、第１の単語ｗｓ２１「ゴリラ」の語尾の文字「ラ」に修正する処理ｐｓ２２を行い、修正文字列「ラッパ」を得る。判定部１３は、このように得られた修正文字列「ラッパ」を第２の単語を構成する文字列として判定してもよい。また、判定部１３は、修正文字列「ラッパ」が単語記憶部２０において単語の読みとして記憶されている場合に、修正文字列「ラッパ」を第２の単語を構成する文字列として判定してもよい。
【００４２】
第２の単語を構成する文字列が「ラッパ」であることが判定されたので、対話制御部１４は、「ラッパ」の語尾の文字「パ」を語頭に有する単語「パンダ」を対話のための所定のデータベースから取得する。出力部１５は、第３の単語ｗｓ２２として、「パンダ」を、スピーカにより出力する。
【００４３】
図６は、対話システム１とユーザとの音声による対話の例を模式的に示す図である。図６の対話例ｅｘ３に示すように、対話装置１０の出力部１５は、対話におけるシステム出力として、第１の単語ｗｓ３１としての「ゴリラ」をスピーカにより出力する。
【００４４】
これに対して、ユーザが第２の単語ｗｕ３１として、音声からなる「ラッパ」を、マイクを介して入力する。認識部１２は、第２の単語ｗｕ３１に対する音声認識処理ｐｓ３１を実施する。この対話例ｅｘ３においては、認識部１２は、認識の確からしさを示すスコアの順に並べられた、第２の単語を構成する文字列の候補のリスト「１．ハッパ  ２．ラッパ  ３．カッパ」を取得する。
【００４５】
続いて、判定部１３は、リストの上位から第２の単語を構成する文字列の候補を参照し、第１の単語ｗｓ３１「ゴリラ」の語尾の文字「ラ」を語頭に有する文字列を選択する処理ｐｓ３２を行う。即ち、判定部１３は、リストの第２位の文字列「ラッパ」を選択する。判定部１３は、このように選択された文字列「ラッパ」を第２の単語を構成する文字列として判定してもよい。また、判定部１３は、選択された文字列「ラッパ」が単語記憶部２０において単語の読みとして記憶されている場合に、修正文字列「ラッパ」を第２の単語を構成する文字列として判定してもよい。
【００４６】
第２の単語を構成する文字列が「ラッパ」であることが判定されたので、対話制御部１４は、「ラッパ」の語尾の文字「パ」を語頭に有する単語「パンダ」を対話のための所定のデータベースから取得する。出力部１５は、第３の単語ｗｓ３２として、「パンダ」を、スピーカにより出力する。
【００４７】
図７は、対話システム１とユーザとの英語の音声による対話の例を模式的に示す図である。図７の対話例ｅｘ４に示すように、対話装置１０の出力部１５は、対話におけるシステム出力として、第１の単語ｗｓ４１としての「ｎｏｏｎ」をスピーカにより出力する。
【００４８】
これに対して、ユーザが第２の単語ｗｕ４１として、音声からなる「ｎｉｇｈｔ」を、マイクを介して入力する。認識部１２は、第２の単語ｗｕ４１に対する音声認識処理ｐｓ３１を実施する。この対話例ｅｘ４においては、認識部１２は、入力された音声に基づいて、第２の単語が発音記号［ｎａｉｔ］により表される単語であることを認識し、発音記号［ｎａｉｔ］により表される単語の候補のリスト「１．ｋｎｉｇｈｔ  ２．ｎｉｇｈｔ」を取得する。
【００４９】
続いて、判定部１３は、第２の単語の候補を参照し、第１の単語ｗｓ４１「Ｎｏｏｎ」の語尾の文字「ｎ」を語頭に有する文字列を選択する処理ｐｓ４２を行う。即ち、判定部１３は、リスト中の単語「ｎｉｇｈｔ」を選択する。判定部１３は、このように選択された文字列「ｎｉｇｈｔ」を第２の単語を構成する文字列として判定する。
【００５０】
第２の単語を構成する文字列が「ｎｉｇｈｔ」であることが判定されたので、対話制御部１４は、「ｎｉｇｈｔ」の語尾の文字「ｔ」を語頭に有する単語「ｔｉｍｅ」を対話のための所定のデータベースから取得する。出力部１５は、第３の単語ｗｓ４２として、「ｔｉｍｅ」を、スピーカにより出力する。
【００５１】
次に、図８を参照して、対話システム１における対話方法について説明する。図８は、本実施形態の対話方法の処理内容の例を示すフローチャートである。
【００５２】
ステップＳ１において、対話システム１は、ユーザとの対話の処理を開始する。ステップＳ２において、出力部１５は、第１の単語を出力する。
【００５３】
ステップＳ３において、取得部１１は、ステップＳ２において出力された第１の単語又はステップＳ５において出力された第３の単語に応じてユーザにより入力された第２の単語を取得する。
【００５４】
ステップＳ４において、判定部１３は、第１の単語の語尾の文字に基づいて、ステップＳ３において取得された第２の単語を構成する文字列を判定する。そして、ステップＳ５において、出力部１５は、判定部１３により判定された第２の単語を構成する文字列に応じて取得された第３の単語を出力する。第３の単語は、例えば、対話制御部１４により所定のデータベースを参照して取得される。
【００５５】
ステップＳ６において、対話システム１は、ユーザとの対話の処理を終了させるか否かを判定する。対話を終了させると判定された場合には、処理は終了する。一方、対話を終了させると判定されなかった場合には、処理はステップＳ３に戻る。
【００５６】
次に、コンピュータを、本実施形態の対話装置１０として機能させるための対話プログラムについて説明する。図８は、対話プログラムＰ１の構成を示す図である。
【００５７】
対話プログラムＰ１は、対話装置１０における対話処理を統括的に制御するメインモジュールｍ１０、取得モジュールｍ１１、認識モジュールｍ１２、判定モジュールｍ１３、対話制御モジュールｍ１４及び出力モジュールｍ１５を備えて構成される。そして、各モジュールｍ１１〜ｍ１５により、対話装置１０における取得部１１、認識部１２、判定部１３、対話制御部１４及び出力部１５のための各機能が実現される。なお、対話プログラムＰ１は、通信回線等の伝送媒体を介して伝送される態様であってもよいし、図９に示されるように、記録媒体Ｍ１に記憶される態様であってもよい。なお、認識モジュールｍ１２及び対話制御モジュールｍ１４は、対話プログラムＰ１における必須の構成ではない。
【００５８】
以上説明した本実施形態の対話システム１、対話装置１０、対話方法及び対話プログラムＰ１では、第２の単語がルールに従って発せられた単語であれば、第２の単語は、第１の単語の語尾を語頭に有することに鑑みて、第２の単語を構成する文字列が第１の単語の語尾の文字に基づいて判定されるので、第２の単語の入力の態様に起因してその特定が困難である場合であっても、第２の単語を構成する文字列を正しく認識できる。
【００５９】
また、別の形態に係る対話システムでは、取得部は、ユーザによりテキストにより入力された第２の単語を取得し、判定部は、第２の単語の読みを構成する文字列の複数の候補から、第１の単語の語尾の文字を語頭に有する文字列を選択することとしてもよい。
【００６０】
上記形態によれば、テキストにより入力された第２の単語に関して複数の読み（文字列）が関連付けられている場合において、第１の単語の語尾の文字を語頭に有する文字列が選択される。これにより、ユーザにより発せられた第２の単語を構成する文字列である可能性が高い文字列を選択できる。
【００６１】
また、別の形態に係る対話システムでは、判定部は、単語と当該単語の読みを構成する一以上の文字列とを関連付けて記憶している単語記憶部を参照して、第２の単語の読みを構成する文字列の候補を取得することとしてもよい。
【００６２】
上記形態によれば、単語と当該単語の読みを構成する文字列とを関連付けている記憶手段が参照されるので、第２の単語の読みを構成する文字列の候補として適切な文字列が取得される。
【００６３】
また、別の形態に係る対話システムでは、取得部は、ユーザにより音声により入力された第２の単語を取得し、判定部は、第２の単語に対する所定の音声認識処理により得られた文字列の語頭の文字を第１の単語の語尾の文字に修正した修正文字列を、第２の単語を構成する文字列として判定することとしてもよい。
【００６４】
上記形態によれば、音声により入力された第２の単語に対する音声認識処理により得られた文字列の語頭が第１の単語の語尾の文字に修正した修正文字列が取得される。これにより、ユーザにより音声入力された第２の単語を構成する文字列である可能性が高い文字列を取得できる。
【００６５】
また、別の形態に係る対話システムでは、判定部は、単語と当該単語の読みを構成する一以上の文字列とを関連付けて記憶している単語記憶部を参照して、修正文字列が、単語記憶部において単語の読みとして記憶されている場合に、修正文字列を第２の単語を構成する文字列として判定することとしてもよい。
【００６６】
上記形態によれば、単語と当該単語の読みを構成する文字列とを関連付けている記憶手段を参照して、修正文字列が、単語の読みとして記憶されているか否かが判定される。これにより、修正文字列が、実在する単語であるか否かが判定される。そして、修正文字列が実在する単語であることが判定された場合に、修正文字列が第２の単語を構成する文字列として判定されるので、第２の単語を構成する文字列である可能性が高い文字列を確実に取得できる。
【００６７】
また、別の形態に係る対話システムでは、取得部は、ユーザにより音声により入力された第２の単語を取得し、判定部は、第２の単語に対する所定の音声認識処理により得られた、第２の単語を構成する文字列の複数の候補から、第１の単語の語尾の文字を語頭に有する文字列を選択し、選択された文字列を第２の単語を構成する文字列として判定することとしてもよい。
【００６８】
上記形態によれば、音声により入力された第２の単語に対する音声認識処理により得られた複数の文字列から、第１の単語の語尾の文字を語頭に有する文字列が選択される。これにより、ユーザにより発せられた第２の単語を構成する文字列である可能性が高い文字列を選択できる。
【００６９】
また、別の形態に係る対話システムでは、判定部は、単語と当該単語の読みを構成する一以上の文字列とを関連付けて記憶している単語記憶部を参照して、選択された文字列が、単語記憶部において単語の読みとして記憶されている場合に、選択された文字列を第２の単語を構成する文字列として判定することとしてもよい。
【００７０】
上記形態によれば、単語と当該単語の読みを構成する文字列とを関連付けている記憶手段を参照して、音声認識処理により得られた複数の文字列から選択された文字列が、単語の読みとして記憶されているか否かが判定される。これにより、選択された文字列が、実在する単語であるか否かが判定される。そして、選択された文字列が実在する単語であることが判定された場合に、選択された文字列が第２の単語を構成する文字列として判定されるので、第２の単語を構成する文字列である可能性が高い文字列を確実に取得できる。
【００７１】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００７２】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７３】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７４】
情報等は、上位レイヤ(または下位レイヤ)から下位レイヤ(または上位レイヤ)へ出力され得る。複数のネットワークノードを介して入出力されてもよい。
【００７５】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００７６】
判定は、１ビットで表される値（０か１か）によって行われてもよいし、真偽値（Boolean：trueまたはfalse）によって行われてもよいし、数値の比較（例えば、所定の値との比較）によって行われてもよい。
【００７７】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７９】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００８０】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８１】
なお、本明細書で説明した用語及び／又は本明細書の理解に必要な用語については、同一の又は類似する意味を有する用語と置き換えてもよい。
【００８２】
本明細書で使用する「システム」および「ネットワーク」という用語は、互換的に使用される。
【００８３】
また、本明細書で説明した情報、パラメータなどは、絶対値で表されてもよいし、所定の値からの相対値で表されてもよいし、対応する別の情報で表されてもよい。
【００８４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８５】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００８６】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００８７】
本明細書において、文脈または技術的に明らかに1つのみしか存在しない装置である場合以外は、複数の装置をも含むものとする。
【００８８】
本開示の全体において、文脈から明らかに単数を示したものではなければ、複数のものを含むものとする。
【符号の説明】
【００８９】
１…対話システム、１０…対話装置、１１…取得部、１２…認識部、１３…判定部、１４…対話制御部、１５…出力部、２０…単語記憶部、Ｍ１…記録媒体、ｍ１０…メインモジュール、ｍ１１…取得モジュール、ｍ１２…認識モジュール、ｍ１３…判定モジュール、ｍ１４…対話制御モジュール、ｍ１５…出力モジュール、Ｐ１…対話プログラム。
【図１】
2019154468.tif 000003
【図２】
2019154468.tif 000004
【図３】
2019154468.tif 000005
【図４】
2019154468.tif 000006
【図５】
2019154468.tif 000007
【図６】
2019154468.tif 000008
【図７】
2019154468.tif 000009
【図８】
2019154468.tif 000010
【図９】
2019154468.tif 000011